【手続補正書】
【提出日】平成24年12月27日(2012.12.27)
【手続補正１】
【補正対象書類名】特許請求の範囲
【補正対象項目名】全文
【補正方法】変更
【補正の内容】
【特許請求の範囲】
【請求項１】
正極と負極の端子を有する複数個の電池セルが、軸心を平行にして少なくとも１段、長手方向に配列される収納部を有し、前記電池セルの軸心方向の端子面に対向する一側面側と他側面側が外部に開放する開放面とされたケース部材と、
前記ケース部材の一側面側の開放面を覆い、前記複数個の電池セルの軸心方向の端子面を露出する開口部を有する第１の側板と、
前記ケース部材の他側面側の開放面を覆い、前記複数個の電池セルの軸心方向の端子面を露出する開口部を有する第２の側板と、
前記第１の側板を覆い、前記第１の側板との間に前記各電池セルの軸心方向の端子面側から前記各電池セルの軸心が延びる方向に噴出したガスが放出される第１のガス排出空間を形成する第１の覆い部材と、
前記第２の側板を覆い、前記第１の側板との間に前記各電池セルの軸心方向の端子面側から前記各電池セルの軸心が延びる方向に噴出したガスが放出される第２のガス排出空間を形成する第２の覆い部材と、
前記第１のガス排出空間に連通する貫通穴を有する第１の案内部と、
前記第２のガス排出空間に連通する貫通穴を有する第２の案内部と、
前記第１の案内部と前記第２の案内部を接続する可撓性部材からなる案内部連通部材とを具備し、
前記第１の案内部と前記第２の案内部の前記ガス排出空間に連通する貫通穴は、それぞれ、前記ケース部材の最下段に配列された前記各電池セルの軸心よりも下方の位置に最下面を有することを特徴とする蓄電モジュール。
【請求項２】
請求項１に記載の蓄電モジュールにおいて、前記案内部は前記第１の側板および前記第２の側板から互いに相手方の側板側に向かって導出された中空の筒形状を有することを特徴とする蓄電モジュール。
【請求項３】
請求項１または２に記載の蓄電モジュールにおいて、前記ケース部材の収納部に長手方向に配列される前記複数の電池セルは、複数段に配列され、少なくとも最下段に配列された複数の電池セルは直上の段に配列された電池セルに対して、長手方向に沿って半ピッチずつずれて配列され、かつ、配列方向の一端部が、直上の段に配列された電池セルの対応する一端部よりも内側に凹んだ位置に位置し、前記ケース部材は、最下段の前記電池セルの一端部が凹んだ位置に対応する窪み部を有し、前記各案内部および前記案内部連通部材は、前記窪み部に設けられていることを特徴とする蓄電モジュール。
【請求項４】
請求項１乃至３のいずれか１項に記載の蓄電モジュールにおいて、前記第１の案内部および前記第２の案内部は、先細の先端部を有することを特徴とする蓄電モジュール。
【請求項５】
請求項１乃至４のいずれか１項に記載の蓄電モジュールにおいて、前記案内部連通部材は、前記第１の側板の案内部と前記第２の側板の案内部とを連通するゴムチューブを含むことを特徴とする蓄電モジュール。
【請求項６】
請求項５に記載の蓄電モジュールにおいて、前記ゴムチューブは、両端部に蛇腹部を有することを特徴とする蓄電モジュール。
【請求項７】
請求項５または６に記載の蓄電モジュールにおいて、前記ゴムチューブは、前記蛇腹部の間に開口部を有し、前記案内部連通部材は、前記ゴムチューブの前記開口部に嵌合するパイプ状の継手を含むことを特徴とする蓄電モジュール。
【請求項８】
請求項７に記載の蓄電モジュールにおいて、前記案内部連通部材は前記継手に接続されるＬ字形ゴムチューブを有し、前記Ｌ字形ゴムチューブは、大きい剛性を有する大径部と小径部を有することを特徴とする蓄電モジュール。
【請求項９】
請求項１乃至８のいずれか１項に記載の蓄電モジュールにおいて、前記案内部は、それぞれ、前記第１の側板または前記第２の側板と成形により一体に形成されていることを特徴とする蓄電モジュール。
【請求項１０】
請求項１乃至９のいずれか１項に記載の蓄電モジュールにおいて、前記第１の側板および前記第２の側板は前記案内部連通部材を係止する係止部を有することを特徴とする蓄電モジュール。
【請求項１１】
請求項１に記載の第１の蓄電モジュールと、
請求項１に記載の第２の蓄電モジュールと、
前記第１の蓄電モジュールの前記案内部連通部材と、前記第２の蓄電モジュールの前記案内部連通部材とを連通する外側連通部材とを備えることを特徴とする蓄電装置。
【請求項１２】
請求項１１に記載の蓄電装置において、前記外側連通部材は、一方の前記案内部連通部材に連通する第１のパイプ状継手と、他方の前記案内部連通部材に連通する第２のパイプ状継手と、前記第１のパイプ状継手と前記第２のパイプ状継手を接続する連結ゴムチューブとを含むことを特徴とする蓄電装置。
【請求項１３】
請求項１１または１２に記載の蓄電装置において、前記外側連通部材は、さらに、前記第２のパイプ状継手に接続される第３のパイプ状継手を含むことを特徴とする蓄電装置。
【請求項１４】
請求項１３に記載の蓄電装置において、前記第２のパイプ状継手は、前記他方の案内部連通部材と、前記連結ゴムチューブと、前記第３のパイプ状継手とに接続される３個の連通用端部を有するＴ字形連通部材であることを特徴とする蓄電装置。
【請求項１５】
請求項１３または１４に記載の蓄電装置において、前記第１のパイプ状継手は、前記一方の案内部連通部と、前記連結ゴムチューブに接続される連通用端部を有し、前記連結ゴムチューブに接続される連通用端部の対向側が閉塞されたＬ字形連通部材であることを特徴とする蓄電装置。
【手続補正２】
【補正対象書類名】明細書
【補正対象項目名】０００６
【補正方法】変更
【補正の内容】
【０００６】
請求項１の発明に係る蓄電モジュールは、正極と負極の端子を有する複数個の電池セルが、軸心を平行にして少なくとも１段、長手方向に配列される収納部を有し、電池セルの軸心方向の端子面に対向する一側面側と他側面側が外部に開放する開放面とされたケース部材と、ケース部材の一側面側の開放面を覆い、複数個の電池セルの軸心方向の端子面を露出する開口部を有する第１の側板と、ケース部材の他側面側の開放面を覆い、複数個の電池セルの軸心方向の端子面を露出する開口部を有する第２の側板と、第１の側板を覆い、第１の側板との間に各電池セルの軸心方向の端子面側から各電池セルの軸心が延びる方向に噴出したガスが放出される第１のガス排出空間を形成する第１の覆い部材と、第２の側板を覆い、第１の側板との間に各電池セルの軸心方向の端子面側から各電池セルの軸心が延びる方向に噴出したガスが放出される第２のガス排出空間を形成する第２の覆い部材と、第１のガス排出空間に連通する貫通穴を有する第１の案内部と、第２のガス排出空間に連通する貫通穴を有する第２の案内部と、第１の案内部と第２の案内部を接続する可撓性部材からなる案内部連通部材とを具備し、第１の案内部と第２の案内部のガス排出空間に連通する貫通穴は、それぞれ、ケース部材の最下段に配列された各電池セルの軸心よりも下方の位置に最下面を有することを特徴とする。
請求項２の発明に係る蓄電モジュールは、請求項１に記載の蓄電モジュールにおいて、案内部は第１の側板および第２の側板から互いに相手方の側板側に向かって導出された中空の筒形状を有することを特徴とする。
請求項３の発明に係る蓄電モジュールは、請求項１または２に記載の蓄電モジュールにおいて、ケース部材の収納部に長手方向に配列される複数の電池セルは複数段に配列され、少なくとも最下段に配列された複数の電池セルは直上の段に配列された電池セルに対して、長手方向に沿って半ピッチずつずれて配列され、かつ、配列方向の一端部が、直上の段に配列された電池セルの対応する一端部よりも内側に凹んだ位置に位置し、ケース部材は、最下段の電池セルの一端部が凹んだ位置に対応して窪み部を有し、各案内部および案内部連通部材は、窪み部に設けられていることを特徴とする。
請求項４の発明に係る蓄電モジュールは、請求項１乃至３のいずれか１項に記載の蓄電モジュールにおいて、第１の案内部および第２の案内部は、先細の先端部を有することを特徴とする。
請求項５の発明に係る蓄電モジュールは、請求項１乃至４のいずれか１項に記載の蓄電モジュールにおいて、案内部連通部材は、第１の側板の案内部と第２の側板の案内部とを連通するゴムチューブを含むことを特徴とする。
請求項６の発明に係る蓄電モジュールは、請求項５に記載の蓄電モジュールにおいて、ゴムチューブは、両端部に蛇腹部を有することを特徴とする。
請求項７の発明に係る蓄電モジュールは、請求項５または６に記載の蓄電モジュールにおいて、ゴムチューブは、蛇腹部の間に開口部を有し、案内部連通部材は、ゴムチューブの開口部に嵌合するパイプ状の継手を含むことを特徴とする。
請求項８の発明に係る蓄電モジュールは、請求項７に記載の蓄電モジュールにおいて、案内部連通部材は前記継手に接続されるＬ字形ゴムチューブを有し、Ｌ字形ゴムチューブは、大きい剛性を有する大径部と小径部を有することを特徴とする。
請求項９の発明に係る蓄電モジュールは、請求項１乃至８のいずれか１項に記載の蓄電モジュールにおいて、案内部は、それぞれ、第１の側板または第２の側板と成形により一体に形成されていることを特徴とする。
請求項１０の発明に係る蓄電モジュールは、請求項１乃至９のいずれか１項に記載の蓄電モジュールにおいて、第１の側板および第２の側板は案内部連通部材を係止する係止部を有することを特徴とする。
【手続補正３】
【補正対象書類名】明細書
【補正対象項目名】０１２１
【補正方法】変更
【補正の内容】
【０１２１】
その他、本発明の蓄電モジュール１００は、発明の趣旨の範囲内において、種々、変形して構成することが可能であり、要は、正極と負極の端子を有する複数個の電池セルが、軸心を平行にして少なくとも１段、長手方向に配列される収納部を有し、電池セルの軸心方向の端子面に対向する一側面側と他側面側が外部に開放する開放面とされたケース部材と、ケース部材の一側面側の開放面を覆い、複数個の電池セルの軸心方向の端子面を露出する開口部を有する第１の側板と、ケース部材の他側面側の開放面を覆い、複数個の電池セルの軸心方向の端子面を露出する開口部を有する第２の側板と、第１の側板を覆い、第１の側板との間に各電池セルの軸心方向の端子面側から各電池セルの軸心が延びる方向に噴出したガスが放出される第１のガス排出空間を形成する第１の覆い部材と、第２の側板を覆い、第１の側板との間に各電池セルの軸心方向の端子面側から各電池セルの軸心が延びる方向に噴出したガスが放出される第２のガス排出空間を形成する第２の覆い部材と、第１のガス排出空間に連通する貫通穴を有する第１の案内部と、第２のガス排出空間に連通する貫通穴を有する第２の案内部と、第１の案内部と第２の案内部を接続する可撓性部材からなる案内部連通部材とを具備し、第１の案内部と第２の案内部のガス排出空間に連通する貫通穴は、それぞれ、ケース部材の最下段に配列された各電池セルの軸心よりも下方の位置に最下面を有するものであればよい。